(57)【特許請求の範囲】
【請求項１】
インクを吐出する複数のノズルが配置されるノズル面を有する記録ヘッドと、
少なくとも１つ以上の前記記録ヘッドを配列して保持するヘッド保持部材と、
前記記録ヘッドの前記ノズル面に対向して、該ノズル面下を通過するように記録媒体を搬送ベルトで搬送する搬送機構と、
前記搬送機構を上昇させて前記記録ヘッドにより記録を行うように近接される第１の位置と、前記搬送機構を下降させて前記記録ヘッドと該搬送機構との間にスペースを空けるように離間させる第２の位置との間で、前記搬送機構を昇降可能に保持する移動機構と、
ロッド形状を成し、両端に設けられて前記搬送ベルトに接して従動回転する両端部と、該両端部に挟まれ前記記録媒体の幅以上の長さを有し、前記両端部よりも小径で、前記搬送ベルトから浮き上がった記録媒体のみに接触する中央部と、で構成される押さえローラを備え、前記搬送機構の移動に従い、前記第１の位置で前記記録ヘッドよりも搬送方向上流側で、通過する前記記録媒体の浮き上がり部分を自重により押さえ、前記第２の位置で前記記録ヘッドのノズル面から離間する記録媒体押さえローラ部と、
を具備することを特徴とするインクジェットプリンタ。
【請求項２】
前記記録媒体押さえローラ部は、さらに、
各一端が前記押さえローラの両端をそれぞれに回転可能に支持し、各他端が前記ヘッド保持部材に回動可能に取り付けられ、前記移動機構が前記第１の位置にある場合に、前記押さえローラを前記記録ヘッドよりも搬送方向上流側で揺動可能に支持し、前記移動機構が前記第２の位置に移動する場合に、回動により移動して前記押さえローラを垂直方向より搬送方向上流側に傾くように支持する、アーム形状を成す支持アームを有することを特徴とする請求項１に記載のインクジェットプリンタ。
【請求項３】
前記支持アームのそれぞれに宛がわれる複数の突起部と、
前記突起部を複数設けられ、該突起部が前記支持アームと当接した状態でスライド移動するスライドガイド部材と、
前記スライドガイド部材を搬送方向下流側にスライド移動させるスライド移動部と、
で構成され、
前記第１の位置において、前記突起部で前記支持アームを係止した状態の時に、前記搬送機構を下降させても、前記押さえローラが前記第１の位置における係止状態を維持することを特徴とする請求項２に記載のインクジェットプリンタ。
【請求項４】
前記記録媒体押さえローラ部は、さらに、
各一端が前記押さえローラの両端をそれぞれに回転可能に支持し、各他端が前記ヘッド保持部材に垂直移動可能に取り付けられ、前記移動機構が前記第１の位置にある場合に、前記押さえローラを前記記録ヘッドよりも搬送方向上流側で揺動可能に支持し、前記移動機構が前記第２の位置に移動する場合に、前記押さえローラを垂直方向に下降させて、前記記録ヘッドのノズル面から前記押さえローラを離間するように支持する、屈曲部を有するアーム形状を成す支持アームを有することを特徴とする請求項１に記載のインクジェットプリンタ。
【請求項５】
前記記録媒体押さえローラ部は、さらに、
各一端が前記押さえローラの両端をそれぞれに回転可能に支持し、各他端が前記ヘッド保持部材に斜め移動可能に取り付けられ、前記移動機構が前記第１の位置にある場合に、前記押さえローラを前記記録ヘッドよりも搬送方向上流側で揺動可能に支持し、前記移動機構が前記第２の位置に移動する場合に、前記押さえローラを斜め下方向に下降させて、前記記録ヘッドのノズル面から前記押さえローラを離間するように支持する、アーム形状を成す支持アームを有することを特徴とする請求項１に記載のインクジェットプリンタ。
【発明の詳細な説明】
【技術分野】
【０００１】
本発明は、ラインヘッドの上流側に設けられ、搬送される記録媒体の浮き上がりを防止する記録媒体押さえローラを備えたインクジェットプリンタに関する。
【背景技術】
【０００２】
インクジェットプリンタの中には、搬送される記録媒体の幅以上となるように１つ、又は複数のインクヘッドによってラインヘッドを構成し、記録媒体のみを移動して記録媒体上への記録を行うフルライン型インクジェットプリンタ（以下、ラインプリンタと称する）がある。
【０００３】
このようなラインプリンタでは、搬送される記録媒体が浮き上がった場合にラインヘッドと接触することを防止するために、例えば、特許文献１のようにラインヘッドより搬送方向上流側で、且つ近傍に用紙押さえローラを設けている。
【先行技術文献】
【特許文献】
【０００４】
【特許文献１】特開２００７−１５２７８５号公報
【発明の概要】
【発明が解決しようとする課題】
【０００５】
前述した用紙押さえローラは  ラインヘッドより搬送方向上流側、且つ近傍に設けられているため、吐出されたインクから発生するインクミストや、記録媒体に着弾したインクの転写等により用紙押さえローラ自体にインク（汚れ）が付着する場合がある。この付着したインクが引き続き搬送されてくる次の記録媒体に転写されて付着した場合、記録された画像の品質を著しく低下させる。このため、用紙押さえローラは、定期的に又はインクが付着した都度、クリーニングする必要がある。
【０００６】
しかしながら、前述した特許文献１に代表されるように、用紙押さえローラは、ラインヘッドの近傍に設けられているため、姿勢が制約されて作業性が悪く、クリーニングする際に作業者の手やクリーニング用クロス等がラインヘッドのノズル面に接触し、ラインヘッドを破損させてしまう虞があり、十分な注意が必要となる。また、用紙押さえローラの交換を行う際においても、同様なことが起こる。
【０００７】
そこで本発明は、記録媒体の浮き上がりを防止する押さえローラの保守作業を容易に実施できるインクジェットプリンタを提供することを目的とする。
【課題を解決するための手段】
【０００８】
上記目的を達成するために、本発明に従う実施形態は、インクを吐出する複数のノズルからなるノズル面を有する記録ヘッドと、少なくとも１つ以上の前記記録ヘッドを配列して保持するヘッド保持部材と、前記記録ヘッドの前記ノズル面に対向して、該ノズル面下を通過するように記録媒体を搬送ベルトで搬送する搬送機構と、前記搬送機構を上昇させて前記記録ヘッドにより記録を行うように近接される第１の位置と、前記搬送機構を下降させて前記記録ヘッドと該搬送機構との間にスペースを空けるように離間させる第２の位置との間で、前記搬送機構を昇降可能に保持する移動機構と、ロッド形状を成し、両端に設けられて前記搬送ベルトに接して従動回転する両端部と、該両端部に挟まれ前記記録媒体の幅以上の長さを有し、前記両端部よりも小径で、前記搬送ベルトから浮き上がった記録媒体のみに接触する中央部と、で構成され、前記搬送機構の移動に従い、前記第１の位置で前記記録ヘッドよりも搬送方向上流側で、通過する前記記録媒体の浮き上がり部分を自重により押さえ、前記第２の位置で前記記録ヘッドのノズル面から離間する記録媒体押さえローラ部と、を備えるインクジェットプリンタを提供する。
【発明の効果】
【０００９】
本発明によれば、記録媒体の浮き上がりを防止する押さえローラの保守作業を容易に実施できるインクジェットプリンタを提供することができる。
【図面の簡単な説明】
【００１０】
【図１】図１は、本発明の記録媒体押さえローラ部を適用した第１の実施形態に係るインクジェットプリンタの概略構成を示した断面図である。
【図２】図２は、ヘッドフレーム及びヘッド保持部材の外観構成を示す斜視図である。
【図３】図３は、ヘッド保持部材、及びラインヘッドを下方から見た斜視図である。
【図４】図４は、記録部に設けられた記録媒体押さえローラ部の配置例を示す図である。
【図５】図５は、押さえローラと支持アームの外観構成を示す図である。
【図６】図６は、アーム支持部と凸部との関係を示す図である。
【図７】図７（ａ）は、プラテン搬送機構が記録位置に位置している時の記録媒体押さえローラ部の状態を示す図、図７（ｂ）は、プラテン搬送機構が退避位置に位置している時の記録媒体押さえローラの状態を示す図である。
【図８】図８は、第１の変形例における記録媒体押さえローラ部を正面側から見た外観構成を示す図である。
【図９】図９は、記録媒体押さえローラ部を下方のノズル面側から見た外観構成を示す斜視図である。
【図１０】図１０は、第２の実施形態におけるストッパ機構を備えた押さえローラ部において、押さえローラが近接位置に位置している状態を示す図である。
【図１１】図１１（ａ）は、ストッパ機構の外観構成を示す図、図１１（ｂ）は、操作手順について説明するための図である。
【図１２】図１２（ａ），（ｂ），（ｃ），（ｄ）は、ストッパ機構の解除による押さえローラの移動状態を示す図である。
【図１３】図１３（ａ）は、第３の実施形態に係る記録媒体押さえローラ部における、押さえローラが近接位置にある記録媒体押さえローラ部を示し、図１３（ｂ）は、押さえローラが離間位置にある記録媒体押さえローラ部を示し、図１３（ｃ）は、押さえローラと支持アームの外観構成を示す図である。
【図１４】図１４（ａ）は、第４の実施形態に係る記録媒体押さえローラ部における押さえローラが接近位置にある記録媒体押さえローラ部を示し、図１４（ｂ）は、押さえローラが離間位置にある記録媒体押さえローラ部の外観構成を示す図である。
【発明を実施するための形態】
【００１１】
以下、図面を参照して本発明の実施形態について詳細に説明する。  
図１は、本発明の記録媒体押さえローラ部を適用した第１の実施形態に係るインクジェットプリンタの概略構成を示した断面図である。図２は、ヘッドフレーム及びヘッド保持部材の外観構成を示す斜視図である。図３は、ヘッド保持部材、及びラインヘッドを下方から見た斜視図である。図４は、記録部に設けられた記録媒体押さえローラ部の配置例を示す図である。図５は、押さえローラと支持アームの外観構成を示す図である。図６は、アーム支持部と凸部との関係を示す図である。図７（ａ）は、プラテン搬送機構が記録位置に位置している時の記録媒体押さえローラ部の状態を示す図であり、図７（ｂ）は、プラテン搬送機構が退避位置に位置している時の記録媒体押さえローラの状態を示す図である。尚、記録媒体の搬送方向をＹ軸方向、このＹ軸方向と水平に直交する方向をＸ軸方向、Ｘ軸方向及びＹ軸方向と直交する方向をＺ軸方向（上下方向）とする。
【００１２】
インクジェットプリンタ１は、大別して、供給部２と、搬送機構３と、記録部４と、移動機構５と、排出部６とで構成される。これらの構成部位は、装置フレーム７に組み付けられている。尚、本実施形態では、発明の要旨に関わる部位のみを示しており、図示していないが、他にも、インク供給機構、メンテナンス機構、及び装置全体の制御を行う制御部等の通常のプリンタが備える構成部位は搭載しているものとする。
【００１３】
供給部２は、複数の記録媒体１１が装填された給紙トレイ１２を有している。図１においては、１つの給紙トレイ１２を示しているが、種々のサイズの記録媒体に対応できるように複数の給紙トレイ１２を装着可能な構成としてもよい。また、これらの給紙トレイ１２は、記録部４の搬送上流側に配置され、本実施形態では、インクジェットプリンタ１の一方の側面に設けられている。勿論、給紙トレイ１２は、設計仕様により、任意の位置に設けることは容易であり、例えば、装置フレーム７内に配置してもよい。
【００１４】
搬送機構３は、供給搬送機構１３と、プラテン搬送機構１４と、排出搬送機構１５とで構成される。  
供給搬送機構１３は、給紙トレイ１２の記録媒体１１に当接するピックアップローラ２１と、レジストローラ対２２と、で構成されている。給紙トレイ１２に収納された記録媒体１１は、ピックアップローラ２１により１枚ずつ取り出されて、レジストローラ対２２に搬送される。このレジストローラ対２２は、ピックアップローラ２１から受け取った記録媒体１１に傾き（斜行）があれば、修正を行い、画像記録に対する搬送タイミングを調整して、プラテン搬送機構１４に受け渡しを行う。
【００１５】
プラテン搬送機構１４は、記録部４と対向して配置され、記録部４の直下を通過するように記録媒体１１を搬送する。  
プラテン搬送機構１４は、搬送フレーム２３と、複数のローラ２４と、搬送ベルト２５と、プラテン２６と、ファン２７とで構成されている。搬送フレーム２３は、複数のローラ２４を回転可能に支持している。これらのローラ２４には、多数の孔が形成された搬送ベルト２５が巻回装着されている。これらローラ２４のうちの少なくとも１つには、図示しないモータ等の駆動源が接続されている。
【００１６】
また、搬送フレーム２３は、搬送ベルト２５下方でプラテン２６を支持している。このプラテン２６は、搬送される記録媒体１１が蛇行しないように、予め定められた平面度を有している。尚、プラテン２６は、平面度を出しやすい形状となっており、本実施形態では、板状となっている。このプラテン２６には、多数の孔が形成されている。
【００１７】
さらに、搬送フレーム２３は、プラテン２６下方でファン２７を支持している。ファン２７によって発生した負圧は、プラテン２６及びベルト２５のそれぞれの孔を通じて、搬送ベルト２５上に記録媒体１１を吸着保持させることができる。  
搬送ベルト２５は、モータで駆動されるローラ２４により搬送方向上流側から下流側に回転（移動）し、レジストローラ対２６から受け渡された記録媒体１１の先端から吸着保持して、記録部４の各ラインヘッド４１の下方を所定速度で通過させて、排出搬送機構１５に搬送する。
【００１８】
排出搬送機構１５は、排出ローラ対３２により構成される。排出ローラ対３２は、記録部４で画像記録された記録媒体１１を排出部６へと搬送する。  
移動機構５は、プラテン搬送機構１４の下方に設置され、搬送フレーム２３を昇降可能に支持する。つまり、移動機構５は、図１に示すプラテン搬送機構１４を記録媒体１１に対して画像記録を行う位置Ａで示す第１の位置としての記録位置と、記録位置よりも下降させて、ＪＡＭ（ジャム）時やラインヘッド４１のクリーニング処理等を行う位置Ｂで示す第２の位置としての退避位置（非画像記録位置）と、に移動させる。
【００１９】
この移動機構５は、搬送フレーム２３の下端縁を支持するための少なくとも４個の昇降アーム２９が設けられている。本実施形態では、搬送フレーム２３の下端縁の四隅を昇降アーム２９が支持している。これらの昇降アーム２９の先端には、コロ３０が設けられている。また、各昇降アーム３５は、装置フレーム７に回動可能に設けられたアーム軸３１にそれぞれに保持されている。
【００２０】
これらの昇降アーム３５は、上流側と下流側に分かれて対に連結され、図示されない駆動源により、アーム軸３１を中心として、互いにコロ３０が近づく方向に、例えば、９０度回動して水平に倒し、プラテン搬送機構１４を位置Ｂまで降下させる。この位置がプラテン搬送機構１４における退避位置（第２の位置）である。
【００２１】
反対に、互いにコロ３０が遠退く方向に、例えば、９０度回動して垂直に立ち上げて、プラテン搬送機構１４を位置Ａまで上昇させる。この位置がプラテン搬送機構１４における記録位置（第１の位置）である。尚、プラテン搬送機構１４の昇降における停止位置は、設計仕様に基づき変更可能である。例えば、最下降位置より手前の途中の停止位置を退避位置と設定することもできる。また、移動機構５としては、例えば、プラテン搬送機構１４をワイヤによりつり上げる吊り上げ機構であってもよいし、パンタグラフ機構等を適用してもよい。
【００２２】
尚、本実施形態では、移動機構５がプラテン搬送機構１４を移動させることによりラインヘッド４１と搬送ベルト２５との間隔を記録位置と非画像記録位置としたが、これに限らず、記録部４を移動させてもよいし、記録部４及びプラテン搬送機構１４の両方を移動させてもよい。つまり、移動機構５は、記録部４とプラテン搬送機構１４との少なくとも一方を移動させて、ラインヘッド４１と搬送ベルト２５との間隔を記録位置と非画像記録位置とにする。
【００２３】
排出部６は、排出トレイ１３により構成される。排出トレイ１３は、排出ローラ対３２によって排出される画像記録された記録媒体１１を収納する。尚、排出部６は、後処理（例えば、シフト処理、穿孔処理、綴じ処理、折り込み処理及び、糊付け処理等）等を行う後処理装置としてもよい。
【００２４】
記録部４は、プラテン搬送機構１４に対向して配置される。この記録部４は、ラインヘッド４１（４１Ｋ，４１Ｃ，４１Ｍ，４１Ｙ）と、ヘッド保持部材４２（４２Ｋ，４２Ｃ，４２Ｍ，４２Ｙ）と、ヘッドフレーム４３と、複数のギャップ調整部材４４と、複数の記録媒体押さえローラ部５１と、で構成される。
【００２５】
ヘッドフレーム４３には、図示しないが、給紙側に２点、排紙側に１点の合計３点の支持部が設けられている。これらの支持部によってヘッドフレーム４３は、装置フレーム７に支持されている。このヘッドフレーム４３には、ヘッド保持部材４２及びギャップ調整部材４４が取り付けられている。
【００２６】
ギャップ調整部材４４は、図２に示すように、ヘッドフレーム４３の下面、即ちプラテン搬送機構１４と対向する面の記録媒体の搬送を妨げない位置、例えば４隅に設けられている。これらのギャップ調整部材４４は、ヘッドフレーム４３とプラテン搬送機構１４との間隔を所定の値に維持する。即ち、ラインヘッド４１のノズル面と記録媒体との距離を調整する。
【００２７】
ヘッド保持部材４２（４２Ｋ，４２Ｃ，４２Ｍ，４２Ｙ）は、図１及び図２に示すように、各ラインヘッド４１（４１Ｋ，４１Ｃ，４１Ｍ，４１Ｙ）に対応して設けられている。このヘッド保持部材４２（４２Ｋ，４２Ｃ，４２Ｍ，４２Ｙ）は、ラインヘッド４１（４１Ｋ，４１Ｃ，４１Ｍ，４１Ｙ）を位置決めして保持する。
【００２８】
尚、ラインヘッド４１（４１Ｋ，４１Ｃ，４１Ｍ，４１Ｙ）は、それぞれ、ブラック（Ｋ）、シアン（Ｃ）、マゼンタ（Ｍ）、イエロ（Ｙ）の各色インクのインク滴を搬送機構４によって搬送される記録媒体１１に対して吐出する。また、ラインヘッド４１（４１Ｋ，４１Ｃ，４１Ｍ，４１Ｙ）は、複数のノズルが記録媒体１１の記録領域以上の長さ（ノズル列長）に配列されたノズル列が形成されたノズル面（インク吐出面）を有している。
【００２９】
ここで、図３を用い、ラインヘッド４１Ｋ、及びヘッド保持部材４２Ｋの詳細を示している。尚、他のラインヘッド４１Ｃ〜４１Ｙ、及びヘッド保持部材４２Ｃ〜４２Ｙについても同様な構成をしている。
【００３０】
本実施形態のラインヘッド４１Ｋは、図３に示すように、６個のインクヘッド４１Ｋ1−４１Ｋ6によって構成されている。このインクヘッド４１Ｋ1−４１Ｋ6は、記録媒体１１の幅方向（搬送方向と直交する方向）に沿って記録媒体１１の幅以上の長さとなるように、交互に２列に配置（千鳥状配置）されている。この時、搬送方向から見て、インクヘッドの端部分（ノズル列の端）が互いに重なるように配置される。この重なりは、記録媒体に画像を記録した際に、筋状の未記録領域（白スジ）を防止するためである。尚、本実施形態では、ラインヘッド４１Ｋを構成するにあたってインクヘッドを２列に配置（千鳥状配置）した例を説明するが、これに限定されるものではなく、３列以上の配置であってもよし、１本の長尺なインクヘッドであってもよい。
【００３１】
このように構成されたラインヘッド４１Ｋは、ヘッド保持部材４２Ｋに位置決めされて保持される。つまり、ヘッド保持部材４２Ｋには、図２に示すように、インクヘッド４１Ｋ1−４１Ｋ6を保持するための６個の開口部４６が設けられている。インクヘッド４１Ｋ1−４１Ｋ6は、これら開口部４６にそれぞれ挿入され、位置調整が行われた後に固定される。
【００３２】
また、ヘッド保持部材４２Ｋには、図３に示すように、搬送方向下流側の側面で、且つ長手方向（記録媒体の幅方向）の両端側に後述する記録媒体押さえローラ部５１を支持する支持部（アーム支持部）４２ａと、アーム支持部４２ａに支持された記録媒体押さえローラ部５１を回動可能にするためにアーム支持部４２ａと対応した位置に搬送方向と平行な溝（スリット）５４と、が設けられている。
【００３３】
次に、記録媒体押さえローラ部５１について説明する。  
記録媒体押さえローラ部５１は、図４に示すように、各インク色を吐出するラインヘッド４１Ｋ，４１Ｃ，４１Ｍ，４１Ｙのそれぞれに１つが設けられている。ここでは、ラインヘッド４１は、２列のインクヘッドで構成されているため、２列に１つの記録媒体押さえローラ部５１が設けられている例である。
【００３４】
この記録媒体押さえローラ部５１は、図５に示すように、押さえローラ５２と、２本の支持アーム（ローラ支持部材）５３と、で構成される。押さえローラ５２は、両端部５２ａの直径が中央部５２ｂの直径より大きい段付きローラとなっている。  
押さえローラ５２の両端部５２ａは、画像記録時に搬送ベルト２５と接触する。これによって、押さえローラ５２は、搬送ベルト２５の回転に従動して回転する。
【００３５】
また、押さえローラ５２の中央部５２ｂは、画像記録時に搬送ベルト２５と非接触となる。この押さえローラ５２の中央部５２ｂは、搬送ベルト２５によって記録媒体１１が通過する領域である。換言すれば、押さえローラ５２の中央部５２ｂは、記録媒体幅程度の長さに亘って形成されている。このように、中央部５２ｂの直径を両端部５２ａより小さくすることにより、記録媒体が正常に搬送ベルト２５に吸着されていた場合、記録媒体１１の表面に非接触で通過させることができる。従って、上流側でインクが吐出された記録媒体に対して、押さえローラ５２が記録面に接触することを極力避けることができるため、ローラ汚れの発生を少なくすることができる。
【００３６】
支持アーム５３は、一端側で押さえローラ５２を回転可能に支持する。また、支持アーム５３は、他端側に円柱形ツメである凸部５３ａが設けられている。  
この凸部５３ａは、図６に示すように、前述したアーム支持部４２ａによって支持される。アーム支持部４２ａは、図６に示すように、凸部５３ａの直径Ｒと略同じ横幅及び高さを有するように角筒状のスペースが形成されている。凸部５３ａは、このスペース内でスムーズに、且つガタが無い状態で回動する。すなわち、支持アーム５３は、凸部５３ａを中心にヘッド保持部材４２に対して回動する。また、支持アーム５３は、図４に示すように、凸部５３ａがアーム支持部４２ａに支持され、溝５４を抜けて下方に延出している。
【００３７】
尚、図６においては、アーム支持部４２ａのスペースは、角筒形状であるが、勿論、円筒形状であってもよい。また、回動をスムーズに行うためにベアリング等を介在させて凸部５３ａをアーム支持部４２ａに支持させてもよい。
【００３８】
次に、記録媒体押さえローラ部５１の動作について説明する。  
図７（ａ）は、プラテン搬送機構が記録位置に位置している時の記録媒体押さえローラ部５１の状態を示している。
【００３９】
図７（ａ）に示すようにプラテン搬送機構１４が記録位置にある時、押さえローラ５２は、ラインヘッド４１より搬送方向上流側で、且つラインヘッド４１の近傍に位置する。この位置を第１のローラ位置としての近接位置とする。この近接位置では、押さえローラ５２は、搬送ベルト２５と接触している。また、この近接位置では、押さえローラ５２の回転中心軸とラインヘッド４１のノズル面との距離が距離Ｌ１となっている。つまり、ラインヘッド４１のノズル面より押さえローラ５２の回転中心軸が距離Ｌ１だけ搬送ベルト２５（プラテン搬送機構１４）側に位置している。
【００４０】
これによって、押さえローラ５２（記録媒体押さえローラ部５１）は、通過する記録媒体１１に対して、搬送ベルト２５からの浮き上がりを防止する。換言すれば、搬送ベルト２５から記録媒体１１が浮き上がったとしてもラインヘッド４１と接触することはない。  尚、記録媒体押さえローラ部５１は、押さえローラ５２と支持アーム５３の自重により、記録媒体１１の浮き上がりを防止している。
【００４１】
押さえローラ５２に付着したインク、紙粉等の汚れを除去する時、或いは押さえローラ５２を交換する時は、以下のように行われる。尚、図７（ｂ）は、プラテン搬送機構が退避位置に位置している時の記録媒体押さえローラの状態を示す図である。
【００４２】
まず、プラテン搬送機構１４を、図７（ａ）に示す記録位置から図７（ｂ）に示す退避位置に移動（下降）させる。プラテン搬送機構１４を下降させている過程において、記録媒体押さえローラ５１は、プラテン搬送機構１４の下降に追従して回動する。具体的には、支持アーム５３は、押さえローラ５２及び支持アーム５３の自重によって凸部５３ａを中心に矢印ｍで示す方向に回動する。換言すれば、近接位置に位置する押さえローラ５２は、搬送ベルト２５と接触しながら矢印ｍで示す方向に回動する。
【００４３】
そして、最終的に図７（ｂ）に示すように、支持アーム５３は、押さえローラ５２の回転中心軸とラインヘッド４１のノズル面との距離が距離Ｌ２になった位置で回動（移動）が停止し、プラテン搬送機構１４は、搬送ベルト２５と押さえローラ５２との接触が解除され、搬送ベルト２５と押さえローラ５２と間に空間が形成された位置（退避位置）で停止する。
【００４４】
この時の押さえローラ５２の位置を第２のローラ位置としての離間位置とする。この離間位置では、押さえローラ５２は、搬送ベルト２５と非接触となっている。また、この離間位置では、押さえローラ５２の回転中心軸とラインヘッド４１のノズル面との距離が距離Ｌ２となっている。つまり、近接位置に押さえローラ５２がある時のラインヘッド４１のノズル面と押さえローラ５２の回転中心軸との距離Ｌ１より離間位置に押さえローラ５２がある時のラインヘッド４１のノズル面と押さえローラ５２の回転中心軸との距離Ｌ２の方が大きくなる。換言すれば、ラインヘッド４１のノズル面と押さえローラ５２との間の空間が近接位置より離間位置の方が広くなる。
【００４５】
このように、近接位置にある押さえローラ５２より離間位置にある押さえローラ５２の方がラインヘッド４１のノズル面から距離（Ｌ２−Ｌ１）だけ搬送ベルト２５（プラテン搬送機構１４）側に離間している。
【００４６】
また、離間位置にある押さえローラ５２は、図７（ｂ）に示すように、回動中心となる凸部５３ａの真下（垂直下）まで達せずに、所定の角度θだけ上流側の位置で停止した状態となっている。さらに詳しく説明すると、支持アーム５３は、ラインヘッド４１のノズル面と直交する仮想線に対して所定の角度θだけ上流側に傾いた状態で回動が停止する。この傾きの角度θは、溝５４の端の切欠形状（溝長）を調整することにより、実現している。勿論、別途にストッパ部材を設けてもよい。これによって、プラテン搬送機構１４が上昇した際に、押さえローラ５２を必ずラインヘッド４１より搬送方向上流側に回動させることができる。
【００４７】
そして、この離間位置において、作業者により押さえローラ５２の拭き取りや交換等の保守作業を行う。保守作業が終わると、プラテン搬送機構１４を、図７（ｂ）に示す退避位置から図７（ａ）に示す記録位置に移動（上昇）させる。具体的には、まず、離間位置にある押さえローラ５２に搬送ベルト２５（プラテン搬送機構１４）が接触する。この接触した状態でさらに搬送ベルト２５（プラテン搬送機構１４）を上昇させる。この時、前述したように、押さえローラ５２（支持アーム５３）は、所定の角度θだけ上流側の位置で停止した状態となっているため、搬送ベルト２５（プラテン搬送機構１４）を上昇させた際、押さえローラ５２（支持アーム５３）は、必ず搬送方向上流側へと回動を始める。
【００４８】
そして、図７（ａ）に示すように、押さえローラ５２は、近接位置となり、搬送ベルト２５（プラテン搬送機構１４）は、記録位置となる。  
以上説明したように、本実施形態によれば、プラテン搬送機構１４を下降させて退避位置に移動させることにより、記録媒体押さえローラ部５１の押さえローラ５２がラインヘッドから離間して、吊り下がった状態となり、容易に拭き取り、交換などの保守作業を実施することができ、作業性が著しく向上するだけでなく、作業者の手がラインヘッドのノズル面に接触することがないため、接触によるノズル面の破損等を防止できる。また、押さえローラ５２が吊り下がった際に、支持アーム５３が上流側に傾きを持った状態で停止しているため、単にプラテン搬送機構１４を上昇させても、必ずラインヘッドの上流側に押さえローラ５２を戻すことができる。
【００４９】
次に図８及び図９を参照して、第１の実施形態に係る記録媒体押さえローラ部の変形例について説明する。図８は、第１の変形例における記録媒体押さえローラ部を正面側から見た外観構成を示す図であり、図９は、記録媒体押さえローラ部を下方のノズル面側から見た外観構成を示す斜視図である。
【００５０】
前述した第１の実施形態では、ラインヘッド４１は、複数のインクヘッドを２列に配置（千鳥状配置）することで構成され、このラインヘッド４１は、１つのヘッド保持部材４２によって保持されていた。そして、このヘッド保持部材４２に１つの記録媒体押さえローラ部５１を設けた構成例であった。本変形例においても、ラインヘッドを複数のインクヘッドを２列に配置（千鳥状配置）することで構成する点は同様だが、本変形例では、列毎にヘッド保持部材を設け、このヘッド保持部材毎に１つの記録媒体押さえローラ部を設けた点が異なる。
【００５１】
具体的には、図８及び図９に示すように、ラインヘッド４１Kは、搬送方向上流側のインクヘッド４１Ｋ1，４１Ｋ3，４１Ｋ5で構成されるヘッド列４１ｋａと、搬送方向下流側のインクヘッド４１Ｋ2，４１Ｋ4，４１Ｋ6で構成されるヘッド列４１ｋｂと、で構成されている。そして、ヘッド列４１Ｋａは、ヘッド保持部材４２Ｋａによって保持され、ヘッド列４１Ｋｂは、ヘッド保持部材４２Ｋｂによって保持されている。ヘッド保持部材４２Ｋａ、ヘッド保持部材４２Ｋｂのそれぞれには、前述した第１の実施形態と同様な記録媒体押さえローラ部５１が設けられている。尚、他色についても同様である。
【００５２】
このように本変形例によれば、前述した第１の実施形態における効果に加えて、ラインヘッドを構成する各インクヘッドの直前に押さえローラを配置することができ、より浮き上がりを防止することができる。
【００５３】
次に、図１０乃至図１２を参照して、第２の実施形態に係る記録媒体押さえローラ部について説明する。図１０は、本実施形態のストッパ機構を備えた押さえローラ部において、押さえローラ５２が近接位置に位置している状態を示す図である。図１１（ａ）は、ストッパ機構の外観構成を示す図、図１１（ｂ）は、操作手順について説明するための図である。図１２（ａ）〜（ｄ）は、ストッパ機構の解除による押さえローラの移動状態を示す図である。尚、本実施形態の構成部材で、前述した第１の実施形態における構成部材と同等なものには同じ参照符号を付して、その説明を省略する。
【００５４】
前述した第１の実施形態では、記録媒体押さえローラ部は、プラテン搬送機構１４の下降に追従して、押さえローラ５２が回動して近接位置から離間位置に移動した。本実施形態では、手動で解除可能なストッパ機構を設けて、プラテン搬送機構１４が下降した退避位置にあるとき、必要に応じて押さえローラを近接位置から離間位置まで回動（移動）させる。
【００５５】
まず、ストッパ機構６０の構成について説明する。  
ストッパ機構６０は、スライドガイド部材５５と、ばね５６と、ばね固定ピン５７と、固定板５８と、スライドガイドノブ５９と、で構成されている。ヘッドフレーム４３の正面側には、２つの固定板５８と１つのばね固定ピン５７が取り付けられている。
【００５６】
搬送方向上流側の固定板５８には、スライドガイドノブ５９が回転可能に設けられている。このスライドガイドノブ５９には、軸部を介して１／３の円板状で先端側（回転方向ｎから見て）から後端側にかけて径が徐々に大きくなる作用部５９ａが形成されている。
【００５７】
また、２つの固定板５８は、スライドガイド部材５５をＹ方向（水平方向）にスライド可能に支持している。このスライドガイト部材５５の搬送方向上流側の一端側には、スライドガイドノブ５９の作用部５９ａが接触する受け部５５ａが設けられている。また、スライドガイド部材５５には、各記録媒体押さえローラ部５１の支持アーム５３にそれぞれに当接する、例えば、円柱形状の複数のボス５５ｂが設けられている。
【００５８】
ばね５６は、一端側がばね固定ピン５７に取り付けられ、他端側がスライドガイド部材５５に取り付けられている。このばね５６は、スライドガイド部材５５を−Ｙ方向に引っ張っている。
【００５９】
次に、ストッパ機構６０の動作について説明する。尚、図１２（ａ）〜（ｃ）では、代表的にラインヘッド４１Ｋ周りを示している。  
前述した第１の実施形態と同様にプラテン搬送機構１４を下降させた際、本実施形態では、支持アーム５３は、プラテン搬送機構１４の下降には同期せず、僅かに回動（下降）すると、ボス５５ｂに当接する。これによって、支持アーム５３の回動（移動）は、停止する。（図１０、図１２（ａ）の状態）つまり、押さえローラ５２の位置は、略近接位置の状態を維持している。尚、ボス５５ｂに当接するまでの僅かな遊びとなる揺動範囲は、押さえローラ５２が記録媒体の厚みに追従するために必要な移動範囲である。また、上記の状態をストッパ機構６０の第１のストッパ状態とする。
【００６０】
この状態から押さえローラ５２の保守作業を行う際は、まず、図１１（ｂ）に示すようにスライドガイドノブ５９をｎ方向に回転させる。これにより、スライドガイドノブ５９の作用部５９ａがスライドガイド部材５５の受け部５５ａに接触する。そして、さらにスライドガイドノブ５９を回転させると、ばね５６の付勢力に抗して、スライドガイド部材５５がＹ方向にスライド移動する。この移動する距離は、作用部５９ａの円板状の径の大きさによる。
【００６１】
スライドガイド部材５５がＹ方向にスライド移動すると、ボス５５ｂも移動する。つまり、ボス５５ｂは、凸部５３ａに近づくように移動する。そのため、ボス５５ｂに当接している支持アーム５３は、ボス５５ｂとの当接位置を変えながら押さえローラ５２及び支持アーム５３の自重によってｍ方向に回動する（図１２（ｂ）の状態）。
【００６２】
そして、最終的に、ボス５５ｂが凸部５３ａの直下近傍まで移動した位置でスライドガイド部材５５のＹ方向へのスライド移動が停止する。この時、支持アーム５３は、ボス５５ｂに当接した状態であり、前述したように、支持アーム５３が所定の角度θだけ上流側に傾いた状態である。
【００６３】
つまり、支持アーム５３がラインヘッド４１のノズル面と直交する仮想線に対して所定の角度θだけ上流側に傾いた状態で回動が停止する。（図１２（ｃ）の状態）これにより、押さえローラ５２は、離間位置となる。尚、上記の状態をストッパ機構６０の第２のストッパ状態とする。
【００６４】
押さえローラ５２の保守作業が終了すると、プラテン搬送機構１４を退避位置から記録位置まで上昇させると共に、ストッパ機構６０を第２のストッパ状態から第１のストッパ状態に戻す。
【００６５】
以上説明した本実施形態によれば、前述した第１の実施形態と同等な効果をえることができる。さらに、本実施形態によれば、プラテン搬送機構１４の下降に追従して、押さえローラが近接位置から離間位置に回動するのではなく、手動で押さえローラを近接位置から離間位置に移動することができる。
【００６６】
これにより、押さえローラの保守作業を行う必要がない時は、押さえローラを近接位置に維持させておくことができる。尚、本実施形態では、押さえローラが近接位置に位置している時は、図１０に示すように、カバーによって押さえローラが隠れた状態となり、押さえローラが離間位置に位置した時にのみ、図１２（ｄ）で示すように、押さえローラがカバーから露出する形態を取っている。
【００６７】
次に、図１３（ａ），（ｂ）を参照して、第３の実施形態に係る記録媒体押さえローラ部について説明する。図１３（ａ）は、押さえローラが近接位置にある記録媒体押さえローラ部を示し、図１３（ｂ）は、押さえローラが離間位置にある記録媒体押さえローラ部を示し、図１３（ｃ）は、押さえローラと支持アームの外観構成を示す図である。尚、本実施形態の構成部材で、前述した第１の実施形態における構成部材と同等なものには同じ参照符号を付して、その説明を省略する。  
この記録媒体押さえローラ部６１は、図１３に示すように、押さえローラ５２と、２本の支持アーム（ローラ支持部材）６２と、で構成される。押さえローラ５２は、前述した第１の実施形態と同様である。支持アーム６２は、一端側で押さえローラ５２を回転可能に支持する。また、支持アーム６２は、他端側に円柱形ツメである凸部６２ａが設けられている。この支持アーム６２は、移動部分が直線形状のアームであり、押さえローラ５２を回転可能に支持する支持部分手前から上流方向に略４５度程度屈曲している。
【００６８】
また、支持アーム６２は、ヘッド保持部材４２の搬送方向上流側で、且つ長手方向（記録媒体の幅方向）の両端側に設けられたアーム支持部６４によって支持されている。つまり、支持アーム６２の凸部６２ａは、垂直（Ｚ軸）方向に昇降可能に、アーム支持部６４内に収容される。凸部６２ａは、支持アーム６２が下降した際に下限のストッパとして機能する。尚、アーム支持部６４は、凸部６２ａが垂直（Ｚ軸）方向に移動する際、ガタが無い状態で移動できるように凸部６２ａの移動をガイドしている。
【００６９】
プラテン搬送機構１４が記録位置にある時、押さえローラ５２は、プラテン搬送機構１４（主として、搬送ベルト２５）に当接した状態で近接位置に位置する。この時、記録媒体押さえローラ部５１は、支持アーム６２と押さえローラ５２の自重により、搬送されてくる記録媒体を押圧して浮き上がりを防止している。
【００７０】
また、プラテン搬送機構１４が記録位置から退避位置に移動するために下降されると、プラテン搬送機構１４の下降に伴い、押さえローラ５２は搬送ベルト２５と当接したまま一体的に垂直方向に直線的に下降し、ラインヘッド４１のノズル面より離間する。そして、図１３（ｂ）に示すように、凸部６２ａの係止により支持アーム６２の下降が停止し、押さえローラ５２が離間位置に停止する。以降は、押さえローラ５２は搬送ベルト２５と非接触となり、吊り下げられた状態となる。また、押さえローラ５２を近接位置に戻す場合は、プラテン搬送機構１４を記録位置まで上昇されることで、押さえローラ５２（支持アーム６２）が直線的に押し上げられて復帰する。
【００７１】
以上説明した本実施形態によれば、前述した第１の実施形態と同等な効果をえることができる。さらに、本実施形態によれば、押さえローラ５２が垂直方向に直線的に昇降されるため、少ない設置スペースで設けることができる。
【００７２】
尚、本実施形態においても、前述した第２の実施形態におけるストッパ機構を変形して用いることができる。例えば、押さえローラ５２が近接位置で保持されている状態の時に、前述したボス５５ａが嵌合する切欠部を支持アーム６２に形成する。切欠部にボス５５ａが嵌合している状態で、プラテン搬送機構１４を下降させても、押さえローラ５２は、近接位置で保持されている状態を維持する。
【００７３】
また、スライドガイドノブ５９を操作して、スライドガイド部材５５をＹ方向に移動させると、ボス５５ａが切欠部から外れ出る。この状態の時に、プラテン搬送機構１４を下降させると、押さえローラ５２は、プラテン搬送機構１４に当接した状態で下降し、プラテン搬送機構１４が退避位置に到達するまでの途中で、前述した離間位置に至る。
【００７４】
これにより、押さえローラ５２の保守作業時には、押さえローラ５２を離間位置に移動させることができ、一方、押さえローラ５２の保守作業時を行わない時には、プラテン搬送機構１４を下降させても、ストッパ機構により押さえローラ５２を近接位置に保持させることができる。
【００７５】
次に、図１４（ａ），（ｂ）を参照して、第４の実施形態に係る記録媒体押さえローラ部について説明する。図１４（ａ）は、押さえローラが接近位置にある記録媒体押さえローラ部を示し、図１４（ｂ）は、押さえローラが離間位置にある記録媒体押さえローラ部の外観構成を示す図である。尚、本実施形態の構成部材で、前述した第１の実施形態における構成部材と同等なものには同じ参照符号を付して、その説明を省略する。
【００７６】
この記録媒体押さえローラ部７１は、図１４に示すように、押さえローラ５２と、２本の支持アーム（ローラ支持部材）７２と、で構成される。押さえローラ５２は、前述した第１の実施形態と同様である。支持アーム７２は、一端側で押さえローラ５２を回転可能に支持する。また、支持アーム６７は、他端側に円柱形ツメである凸部７２ａが設けられている。
【００７７】
この支持アーム７２は、昇降可能にアーム支持部７４内に収容される。アーム支持部７４は、搬送方向上流側の斜め下方向、例えば４５度方向に向かうように、ヘッド保持部材４２に形成されている。凸部７２ａは、支持アーム７２が下降した際に下限のストッパとして機能する。
【００７８】
プラテン搬送機構１４が記録位置にある時、押さえローラ５２は、プラテン搬送機構１４（主として、搬送ベルト２５）に当接した状態で押し上げられて近接位置に位置する。この時、記録媒体押さえローラ部７１は、支持アーム７２と押さえローラ５２の自重により、搬送されてくる記録媒体を押圧して浮き上がりを防止している。
【００７９】
また、プラテン搬送機構１４が記録位置から退避位置に移動するために下降されると、プラテン搬送機構１４の下降に伴い、押さえローラ５２は搬送ベルト２５と当接したままアーム支持部７４にガイドされながら直線的に下降し、ラインヘッド４１のノズル面より離間する。
【００８０】
そして、図１４（ｂ）に示すように、凸部７２ａの係止により支持アーム７２の下降が停止し、押さえローラ５２が離間位置に停止する。以降は、押さえローラ５２は搬送ベルト２５と非接触となり、吊り下げられた状態となる。また、押さえローラ５２を近接位置に戻す場合は、プラテン搬送機構１４を記録位置まで上昇されることで、押さえローラ５２（支持アーム７２）が直線的に斜め上に押し上げられて復帰する。
【００８１】
以上説明した本実施形態によれば、前述した第１の実施形態と同等な効果をえることができる。尚、本実施形態においても、前述した第２の実施形態と同様なストッパ機構を設けてもよい。
【符号の説明】
【００８２】
１…インクジェットプリンタ、２…供給部、３…搬送機構、４…記録部、５…移動機構、６…排出部、７…装置フレーム、１１…記録媒体、１２…給紙トレイ、１３…供給搬送機構、１４…プラテン搬送機構、１５…排出搬送機構、２１…ピックアップローラ、２２…レジストローラ対、２３…搬送フレーム、２４…ローラ、２５…搬送ベルト、２６…プラテン、２７…ファン、２９…昇降アーム、３０…コロ、３１アーム軸、３２…排出ローラ対、３５…昇降アーム、４１，４１Ｋ，４１Ｃ，４１Ｍ，４１Ｙ）…ラインヘッド、４２，４２Ｋ，４２Ｃ，４２Ｍ，４２Ｙ…ヘッド保持部材、４３…ヘッドフレーム、４４…ギャップ調整部材、５１…記録媒体押さえローラ部、５２…押さえローラ、５３…支持アーム（ローラ支持部材）、５３ａ…凸部。
【図１】
0005498829.tif 000002
【図２】
0005498829.tif 000003
【図３】
0005498829.tif 000004
【図４】
0005498829.tif 000005
【図５】
0005498829.tif 000006
【図６】
0005498829.tif 000007
【図７】
0005498829.tif 000008
【図８】
0005498829.tif 000009
【図９】
0005498829.tif 000010
【図１０】
0005498829.tif 000011
【図１１】
0005498829.tif 000012
【図１２】
0005498829.tif 000013
【図１３】
0005498829.tif 000014
【図１４】
0005498829.tif 000015